(57)【要約】【課題】負荷用の電源を負荷に供給せずに漏電検出回路のテストを行うことができるとともに、テスト電流の供給・停止のための回路に使用される部品として低耐圧品を使用することができる漏電検出装置を提供する。【解決手段】負荷に交流を出力するための出力ライン１５ａ，１５ｂに流れる電流のバランスを検出するための零相変流器２４の二次側出力により漏電の有無を検出する漏電検出回路２５の異常の有無を、出力ライン１５ａ，１５ｂに交流が出力されていない状態で判断する。制御部１４からの制御信号により、スイッチング素子２８がオン状態になると、テスト用電源２７から零相変流器２４の一次側にテスト電流を流すためのテストライン２６にテスト電流が供給される。そして、漏電検出回路２５が正常に作動するか否かが１４によって判断される。【選択図】図１
2008128837.tif 000002
【特許請求の範囲】
【請求項１】
負荷に交流を供給するための供給ラインと、
前記供給ラインに流れる電流のバランスを検出するための零相変流器と、
前記零相変流器の二次側出力により漏電の有無を検出する漏電検出回路と、
前記零相変流器の一次側にテスト電流を流すためのテストラインと、
前記テストラインに前記供給ラインの電源部より低電圧のテスト電流を供給するためのテスト用電源と、
前記供給ラインに交流が供給されていない状態で前記テストラインに電流を流すとともに、前記漏電検出回路が正常に作動するか否かを判断する制御部と
を備えた漏電検出装置。
【請求項２】
前記供給ラインの電源部は、直流電源から供給される直流電力を交流電力に変換して出力するインバータ装置のＤＣ−ＡＣインバータであり、前記制御部は前記インバータ装置の起動スイッチがオン操作されると、前記ＤＣ−ＡＣインバータの駆動制御に先立って前記漏電検出回路が正常に作動するか否かを判断する請求項１に記載の漏電検出装置。
【請求項３】
前記テスト用電源から前記テストラインへのテスト電流の供給は前記制御部により制御されるスイッチング素子により制御される請求項１又は請求項２に記載の漏電検出装置。
【請求項４】
負荷に交流を供給する供給ラインに流れる電流のバランスを検出する零相変流器の二次側出力により漏電の有無を検出する漏電検出回路のテスト方法であって、
前記供給ラインに交流が供給されていない状態で前記零相変流器の一次側にテスト電流を流すためのテストラインに、前記供給ラインに供給されるより低電圧のテスト電流を流して、前記漏電検出回路が正常に作動するか否かを判断することを特徴とする漏電検出回路のテスト方法。
【発明の詳細な説明】
【技術分野】
【０００１】
本発明は、漏電検出回路のテスト方法及び漏電検出装置に関する。
【背景技術】
【０００２】
家庭用の電気機器として漏電遮断器を備えたものがある。漏電遮断器には、漏電遮断器が正常に動作するか否かをユーザーが点検するためのテスト装置が装備されている。テスト装置は、通常、意図的に模擬漏電状態を引き起こすための抵抗と押しボタンスイッチとが直列に接続された漏電回路を備えており、押しボタンスイッチを押すと漏電と同じ状態となり、漏電遮断器が正常であれば、トリップコイルが作動されて接点が開放されるようになっている。そして、漏電遮断器が正常であることを確認した後、ブレーカをオン操作して接点を閉成状態に復帰させる。
【０００３】
また、ユーザーがスイッチングを操作しなくても、自動的に漏電遮断器が正常か否かのチェックを行う装置が提案されている（例えば、特許文献１参照。）。特許文献１には、商用交流電源ラインに接続され、漏電によって離落して前記商用交流電源ラインを切断するブレーカ接点及び前記商用交流電源ラインに模擬漏電状態を生成する模擬漏電手段を包含した漏電ブレーカを具備した洗浄便座の漏電ブレーカチェック装置が提案されている。このチェック装置は、便座の使用回数を累積するカウント手段と、このカウント手段のカウント数が所定回数を超えたとき前記模擬漏電手段にテスト信号を送出する漏電テスト手段を備えている。そして、この漏電テスト手段によるブレーカチェック時に、前記ブレーカ接点の動作状態を示すモニタ信号を解読して前記漏電ブレーカの正常、異常を判断して表示させる判定手段を包含する便座コントローラを備えている。
【特許文献１】特許第３１１４９０５号公報
【発明の開示】
【発明が解決しようとする課題】
【０００４】
ところが、ユーザーが押しボタンスイッチを押して漏電遮断器の異常の有無を検査するテスト装置では、漏電テストにＡＣ１００Ｖ電源が必要になるとともに、漏電テスト時にはＡＣ１００Ｖが遮断されるため、漏電テストの終了後にユーザーが復帰動作を行う必要があり操作が煩わしい。
【０００５】
また、特許文献１に開示された漏電ブレーカチェック装置では、ユーザーがチェックを行わなくても自動的に漏電ブレーカ（漏電遮断器）の点検が行われる。しかし、漏電テストにはＡＣ１００Ｖ電源が必要であり、漏電ブレーカが正常である場合、ブレーカ接点が離落してＡＣラインが遮断されるため、ユーザーがブレーカ接点を復帰させる動作を行う必要がある。
【０００６】
また、従来の漏電検出器のテスト装置では、テストに１００Ｖを用いているため、テスト電流のオン・オフのリレーは高耐圧のものが必要になるため、低耐圧のものに比較して体格が大きくなるとともにコストが高くなる。
【０００７】
本発明は、前記の問題に鑑みてなされたものであって、その目的は負荷用の電源を負荷に供給せずに漏電検出回路のテストを行うことができるとともに、テスト電流の供給・停止のための回路に使用される部品として低耐圧品を使用することができる漏電検出回路のテスト方法及び漏電検出装置を提供することにある。
【課題を解決するための手段】
【０００８】
前記の目的を達成するため、請求項１に記載の発明は、負荷に交流を供給するための供給ラインと、前記供給ラインに流れる電流のバランスを検出するための零相変流器と、前記零相変流器の二次側出力により漏電の有無を検出する漏電検出回路と、前記零相変流器の一次側にテスト電流を流すためのテストラインとを備えている。また、前記テストラインに前記供給ラインの電源部より低電圧のテスト電流を供給するためのテスト用電源と、前記供給ラインに交流が供給されていない状態で前記テストラインに電流を流すとともに、前記漏電検出回路が正常に作動するか否かを判断する制御部とを備えている。
【０００９】
この発明では、供給ラインに交流が供給されていない状態において、テスト用電源からテストラインに供給ラインの電源部より低電圧のテスト電流を流して、漏電検出回路が正常に作動するか否かを制御部で判断する。したがって、負荷用の電源を負荷に供給せずに漏電検出回路のテストを行うことができるとともに、テスト電流の供給・停止のための回路に使用される部品として低耐圧品を使用することができる。
【００１０】
請求項２に記載の発明は、請求項１に記載の発明において、前記供給ラインの電源部は、直流電源から供給される直流電力を交流電力に変換して出力するインバータ装置のＤＣ−ＡＣインバータであり、前記制御部は前記インバータ装置の起動スイッチがオン操作されると、前記ＤＣ−ＡＣインバータの駆動制御に先立って前記漏電検出回路が正常に作動するか否かを判断する。この発明では、インバータ装置の起動スイッチがオン操作されるたびに、漏電検出回路が正常に作動するか否かが判断される。したがって、漏電検出回路の異常が検出された状態でインバータ装置の駆動を中止すれば、漏電が検出不能な状態でインバータ装置を駆動することを回避できる。
【００１１】
請求項３に記載の発明は、請求項１又は請求項２に記載の発明において、前記テスト用電源から前記テストラインへのテスト電流の供給は前記制御部により制御されるスイッチング素子により制御される。零相変流器は、テストラインに直流が出力された場合は、直流が出力された瞬間の変化に対応して漏電検出回路に検出信号を出力するが、１回の立ち上がりだけでは誤検出が発生する虞がある。しかし、この発明では、スイッチング素子を複数回スイッチング操作することにより、誤検出を防止することができる。
【００１２】
請求項４に記載の発明は、負荷に交流を供給する供給ラインに流れる電流のバランスを検出する零相変流器の二次側出力により漏電の有無を検出する漏電検出回路のテスト方法である。そして、前記供給ラインに交流が供給されていない状態で前記零相変流器の一次側にテスト電流を流すためのテストラインに、前記供給ラインに供給されるより低電圧のテスト電流を流して、前記漏電検出回路が正常に作動するか否かを判断する。この発明では、零相変流器が漏電を検出すべき供給ラインに交流が供給されていない状態において、零相変流器の一次側にテスト電流を流すためのテストラインに、供給ラインに供給されるより低電圧のテスト電流を流すことにより、漏電検出回路が正常に作動するか否かが判断される。したがって、負荷用の電源を負荷に供給せずに漏電検出回路のテストを行うことができるとともに、テスト電流の供給・停止のための回路に使用される部品として低耐圧品を使用することができる。
【発明の効果】
【００１３】
本発明によれば、負荷用の電源を負荷に供給せずに漏電検出回路のテストを行うことができるとともに、テスト電流の供給・停止のための回路に使用される部品として低耐圧品を使用することができる漏電検出装置及び漏電検出回路のテスト方法を提供することができる。
【発明を実施するための最良の形態】
【００１４】
以下、本発明をバッテリの直流出力を交流出力に変換する車載用のインバータ装置に具体化した一実施形態を図１〜図３にしたがって説明する。
図１に示すように、インバータ装置１０を構成するインバータ部１１は、パワー部１２、ドライブ回路１３及び制御手段としての制御部１４を備えている。また、インバータ装置１０は、パワー部１２に接続されるとともに、負荷（図示せず）に交流を供給（出力）するための供給ラインとしての出力ライン１５ａ，１５ｂと、出力ライン１５ａ，１５ｂの漏電を検出する漏電検出手段１６とを備えている。
【００１５】
パワー部１２はＤＣ−ＤＣコンバータ１７及び出力ライン１５ａ，１５ｂの電源部としてのＤＣ−ＡＣインバータ１８を備えている。ＤＣ−ＤＣコンバータ１７は、図示しない一対のスイッチング素子、昇圧トランス及び整流回路を備えている。各スイッチング素子は、ドライブ回路１３に接続されるとともに、制御部１４によりスイッチング素子がスイッチング制御されることにより、バッテリ１９から供給される直流電圧を昇圧し、その昇圧した直流電圧（例えば１００ボルトに昇圧した直流電圧）をＤＣ−ＡＣインバータ１８に供給する。
【００１６】
ＤＣ−ＡＣインバータ１８は４個のスイッチング素子Ｑ１〜Ｑ４よりなるＨブリッジ回路２０を備えている。Ｈブリッジ回路２０は、第１及び第２のスイッチング素子Ｑ１，Ｑ２が電解コンデンサ２１のプラス端子側に接続され、第３及び第４のスイッチング素子Ｑ３，Ｑ４が電解コンデンサ２１のマイナス端子側（接地端子側）に接続されている。出力ライン１５ａ，１５ｂにはフィルタを構成するコイル２２及びコンデンサ２３が接続されている。各スイッチング素子Ｑ１〜Ｑ４のゲートはドライブ回路１３に接続されている。ドライブ回路１３は制御部１４に接続されている。そして、制御部１４からの制御信号に基づいてドライブ回路１３が各スイッチング素子Ｑ１〜Ｑ４をオン、オフ制御することにより、直流電圧の交流電圧への変換が行われる。
【００１７】
漏電検出手段１６は、出力ラインに流れる電流のバランスを検出する零相変流器２４と、零相変流器２４の二次側出力により漏電の有無を検出する漏電検出回路（比較器）２５を備えている。零相変流器２４は一次側導体としての出力ライン１５ａ，１５ｂがリングコア２４ａを貫通する状態で配備され、検出コイルに漏電電流に比例して発生した電圧を漏電検出回路２５に出力する。漏電検出回路２５は零相変流器２４の出力信号に基づき漏電か否かを示す出力信号を制御部１４へ出力するようになっている。
【００１８】
インバータ装置１０は、零相変流器２４の一次側にテスト電流を流すためのテストライン２６と、テストライン２６に出力ライン１５ａ，１５ｂの電源となるＤＣ−ＡＣインバータ１８の出力電圧より低電圧のテスト電流を供給するためのテスト用電源２７とを備えている。テストライン２６は、出力ライン１５ａ，１５ｂと同様にリングコア２４ａを貫通する状態で設けられている。インバータ装置１０は、制御部１４等の電源としてＤＣ−ＡＣインバータ１８の電源とは別の低電圧の電源（例えば、５Ｖ又は１２Ｖ）を備えており、テスト用電源２７にはその低圧電源が使用されている。テストライン２６の途中にはスイッチング素子２８が接続され、スイッチング素子２８とテスト用電源２７との間に抵抗２９が接続されている。この実施形態ではスイッチング素子２８としてＮＰＮトランジスタが使用されている。抵抗２９は、出力ライン１５ａ，１５ｂから負荷（図示せず）に供給される電流と同程度の電流（例えば、１０〜２０ｍＡ）がテストライン２６に流れる値に設定されている。
【００１９】
制御部１４はＣＰＵ３０及びメモリ（図示せず）を備えたマイクロコンピュータで構成され、メモリにはＤＣ−ＤＣコンバータ１７及びＤＣ−ＡＣインバータ１８を駆動するのに必要な各種制御プログラムが記憶されている。また、メモリには、インバータ装置１０の起動スイッチ（図示せず）がオン操作されると、ＤＣ−ＡＣインバータ１８の駆動制御に先立って漏電検出回路２５が正常に作動するか否かを判断するための漏電検出回路テスト処理を行うための制御プログラムが記憶されている。ＣＰＵ３０は、起動スイッチがオン操作されると、スイッチング素子２８を制御してテストライン２６にテスト電流を流し、漏電検出回路２５が正常に作動するか否かの処理（漏電検出回路異常検出処理）を行う。即ち、制御部１４は、出力ライン１５ａ，１５ｂに交流が出力されていない状態でテストライン２６に電流を流すとともに、漏電検出回路２５が正常に作動するか否かを判断する判断手段を構成する。
【００２０】
制御部１４は、漏電検出回路異常検出処理において異常が検出されなかった場合にＤＣ−ＡＣインバータ１８の駆動制御を開始し、異常が検出された場合は、ＤＣ−ＡＣインバータ１８の駆動制御を行わないようになっている。
【００２１】
次に、前記のように構成されたインバータ装置１０の作用について説明する。
図示しない起動スイッチがオンに操作されると、ＣＰＵ３０は、ＤＣ−ＤＣコンバータ１７及びＤＣ−ＡＣインバータ１８の駆動制御に先立って、漏電検出回路２５の異常の有無を検出する漏電検出回路異常検出処理を行う。図２のフローチャートにしたがって漏電検出回路異常検出処理の手順を説明する。
【００２２】
ＣＰＵ３０は、先ずステップＳ１で、漏電検出回路２５から漏電検出信号が出力されているか否かを判断する。ＣＰＵ３０は、漏電検出信号が出力されていれば、漏電が発生していると判断して処理を終了し、ＤＣ−ＤＣコンバータ１７及びＤＣ−ＡＣインバータ１８の駆動制御を開始しない。ＣＰＵ３０は、漏電検出信号が出力されていなければ、ステップＳ２に進み、スイッチング素子２８にオン信号を出力した後、ステップＳ３に進む。ＣＰＵ３０は、ステップＳ３で漏電検出回路２５から漏電検出信号が出力されているか否かを判断する。
【００２３】
ステップＳ２でスイッチング素子２８へオン信号が出力されて。オン信号によりスイッチング素子２８がオンになると、その立ち上がり時にテストライン２６に流れる電流量の変化が零相変流器２４で検出され、漏電検出回路２５へ出力される。漏電検出回路２５が正常であれば、零相変流器２４の出力信号に基づいて漏電検出回路２５は漏電検出信号を出力し、異常であれば漏電検出信号を出力しない。ＣＰＵ３０は、ステップＳ３で漏電検出信号が出力されていなければ、漏電検出回路２５が異常と判断して処理を終了し、ＤＣ−ＤＣコンバータ１７及びＤＣ−ＡＣインバータ１８の駆動制御を開始しない。ＣＰＵ３０は、ステップＳ３で漏電検出信号が出力されていれば、ステップＳ４に進み、スイッチング素子２８にオフ信号を出力した後、ステップＳ５に進み、漏電検出回路２５をリセットする。
【００２４】
その後、ＣＰＵ３０は、ステップＳ６で漏電検出回路２５から漏電検出信号が出力されているか否かを判断する。ＣＰＵ３０は、漏電検出信号が出力されていれば、漏電が発生していると判断して処理を終了し、ＤＣ−ＤＣコンバータ１７及びＤＣ−ＡＣインバータ１８の駆動制御を開始しない。ＣＰＵ３０は、漏電検出信号が出力されていなければ、ステップＳ７に進み、ＤＣ−ＤＣコンバータ１７及びＤＣ−ＡＣインバータ１８の駆動制御を開始した後、漏電検出回路異常検出処理を終了する。
【００２５】
漏電検出回路２５が正常であれば、漏電検出回路異常検出処理が実行されている間に、漏電検出回路２５からは図３に示すように検出信号が出力される。即ち、時刻ｔ１でスイッチング素子２８がオンになるまではＬレベルの検出信号が出力され、スイッチング素子２８がオンなった時点でＨレベルの検出信号が出力され、時刻ｔ２でスイッチング素子２８がオフになるとＬレベルの検出信号が出力される。なお、スイッチング素子２８がオンになっている期間は十ミリ秒のオーダーである。そして、ステップＳ１の判断は、Ａの状態であるか否かの判断、ステップＳ３の判断は、Ｂの状態であるか否かの判断、ステップＳ６の判断は、Ｃの状態であるか否かの判断となる。
【００２６】
漏電検出回路異常検出処理を終了後、ＣＰＵ３０は、制御プログラムにしたがって、ＤＣ−ＤＣコンバータ１７及びＤＣ−ＡＣインバータ１８の駆動制御を継続する。
そして、ＣＰＵ３０は、ＤＣ−ＤＣコンバータ１７及びＤＣ−ＡＣインバータ１８の駆動制御中に、漏電検出回路２５から漏電検出信号が出力されると、漏電が発生したと判断して、制御部１４からドライブ回路１３への駆動指令が停止され、パワー部１２からの電力（交流電圧）の出力が停止される。
【００２７】
この実施形態によれば、以下に示す効果を得ることができる。
（１）漏電検出回路の検査方法は、出力ライン１５ａ，１５ｂに交流が出力（供給）されていない状態で零相変流器２４の一次側にテスト電流を流すためのテストライン２６に、出力ライン１５ａ，１５ｂに出力されるより低電圧のテスト電流を流して、漏電検出回路２５が正常に作動するか否かを判断する。したがって、負荷用の電源、即ち高圧の電源を負荷に供給せずに漏電検出回路２５のテストを行うことができるとともに、テスト電流の供給・停止のための回路に使用される部品（この実施形態ではスイッチング素子２８）として低耐圧品を使用することができる。
【００２８】
（２）漏電検出装置として、負荷に交流を出力するための出力ライン１５ａ，１５ｂに流れる電流のバランスを検出するための零相変流器２４と、零相変流器２４の二次側出力により漏電の有無を検出する漏電検出回路２５と、零相変流器２４の一次側にテスト電流を流すためのテストライン２６とを備えている。また、テストラインに出力ライン１５ａ，１５ｂの電源より低電圧のテスト電流を供給するためのテスト用電源２７と、出力ライン１５ａ，１５ｂに交流が出力されていない状態でテストライン２６に電流を流すとともに、漏電検出回路２５が正常に作動するか否かを判断する制御部１４とを備えている。したがって、（１）の漏電検出回路の検査方法を実施することができ、（１）と同様の効果を得ることができる。
【００２９】
（３）インバータ装置１０は、前記漏電検出装置を備え、制御部１４（ＣＰＵ３０）は、インバータ装置１０の起動スイッチがオン操作されると、ＤＣ−ＡＣインバータ１８の駆動制御に先立って漏電検出回路２５が正常に作動するか否かを判断するための漏電検出回路異常検出処理を行う。したがって、インバータ装置１０の起動スイッチがオン操作されるたびに、漏電検出回路２５が正常に作動するか否かが判断されるため、使用者が漏電検出回路２５の異常の有無を検査する検査装置を作動させるための専用のスイッチを設ける必要がなく、検査を忘れることもない。
【００３０】
（４）ＣＰＵ３０（制御部１４）は、漏電検出回路異常検出処理において、漏電検出回路２５の異常が検出されると、インバータ装置１０の駆動制御を開始しないため、漏電が検出不能な状態でインバータ装置１０を駆動することを回避できる。
【００３１】
（５）ＣＰＵ３０は、漏電検出回路異常検出処理において、漏電検出回路２５から漏電検出信号が出力されていないことを確認した後、スイッチング素子２８にオン信号を出力してテストライン２６へテスト電流を供給する。したがって、確実にテスト電流によって漏電検出回路２５から漏電検出信号が出力されたか否かを判断することができる。
【００３２】
（６）テスト用電源２７として、インバータ装置１０に本来装備されている制御部１４の電源を使用しているため、わざわざテスト用電源２７を新たに設ける必要がなく、構成が簡単になる。
【００３３】
（７）車載用のインバータ装置１０に適用されている。車載用のインバータ装置１０では長期間にわたってインバータ装置１０の使用が継続されることは少ないため、パワー部１２の起動の際に漏電検出手段１６の検査が行われることで漏電検出手段１６の信頼性を十分に確保することができる。
【００３４】
（８）漏電検出手段１６に零相変流器２４が使用されているため、既設の零相変流器２４のリングコア２４ａを貫通する状態でテストライン２６を設けるとともに、スイッチング素子２８及び抵抗２９をテストライン２６に接続するという簡単な構成で漏電検出回路２５の異常の有無を検査することができる。
【００３５】
実施形態は前記に限定されるものではなく、例えば、次のように具体化してもよい。
○  ＣＰＵ３０は、図２に示すフローチャートの手順に限らず、別の手順で漏電検出回路異常検出処理を行ってもよい。例えば、図２のステップＳ２から処理を開始し、ステップＳ４とステップＳ５との間にステップ１の処理を行うようにしてもよい。この手順でも漏電検出回路２５の異常の有無を検査することができる。
【００３６】
○  ＣＰＵ３０は、漏電検出回路異常検出処理において、テスト用電源２７からテストライン２６へのテスト電流の供給のためスイッチング素子２８にオン信号を１回のみ出力する構成に代えて、スイッチング素子２８を複数回スイッチング制御するようにしてもよい。零相変流器２４は、テストライン２６に直流が出力された場合は、直流が出力された瞬間の変化に対応して漏電検出回路２５に検出信号を出力するが、１回の立ち上がりだけではノイズ等により誤検出が発生する虞がある。しかし、スイッチング素子２８を複数回スイッチング操作することにより、誤検出を防止することができる。
【００３７】
○  スイッチング素子２８は、バイポーラトランジスタに限らず、ＭＯＳＦＥＴやＩＧＢＴ（絶縁ゲート型バイポーラトランジスタ）を使用してもよい。
○  テスト用電源２７は、車両に装備された補機用のバッテリ（例えば、１２Ｖ）を共用電源としたり、専用にバッテリを設けたりしてもよい。
【００３８】
○  車載用のインバータ装置１０に装備された漏電検出回路２５の異常検出に限らず、他のインバータ装置に装備された漏電検出回路２５の異常検出に適用してもよい。
○  単相交流用インバータ装置に限らず、三相交流用インバータ装置に適用してもよい。
【００３９】
○  車載用のインバータ装置１０の場合、インバータ装置１０の起動スイッチをインバータ装置１０専用の起動スイッチとする代わりに、イグニッションスイッチがインバータ装置１０の起動スイッチを兼ねた構成としてもよい。
【００４０】
○  車載用のインバータ装置１０が出力する交流電圧は１００Ｖに限らず家電製品で使用する他の交流電圧（例えば、１２０Ｖや２００Ｖ等）としてもよい。
○  ＣＰＵ３０は、インバータ装置１０の起動スイッチがオン操作されたときのみ漏電検出回路異常検出処理を行う構成に限らず、インバータ装置１０が継続して所定時間以上駆動された時点でも漏電検出回路異常検出処理を行うようにしてもよい。例えば、ＣＰＵ３０は内蔵されたタイマによりインバータ装置１０の作動継続時間を計測し、所定時間経過した時点で漏電検出回路異常検出処理を行うようにしてもよい。この場合、負荷の使用中に漏電検出回路２５に故障が発生した状態でインバータ装置１０の駆動が長時間継続されることを回避することができる。
【００４１】
○  ＣＰＵ３０が漏電検出回路異常検出処理で漏電検出回路２５の異常を検出した際に、異常を報知する報知手段を設けてもよい。報知手段としては、例えば、発光ダイオード等の発光部を発光させたり、ブザー等の発音部を作動させたりする構成がある。
【００４２】
○  インバータ装置に装備された漏電検出回路２５の異常検出に限らず、他の電気機器に装備された漏電検出回路２５の異常検出に適用してもよい。例えば、図４に示すように、交流電源３１に供給ライン３２ａ，３２ｂを介して接続される負荷３３の漏電を検出する漏電検出手段１６を備えた電気機器に、テストライン２６、テスト用電源２７及びスイッチング素子２８を追加するとともに、スイッチング素子２８の制御及び漏電検出回路２５の異常の有無を判断する制御部１４を設けてもよい。電子機器はスイッチ３４を備え、スイッチ３４が起動スイッチとなり、スイッチ３４が操作されると、ＣＰＵ３０により漏電検出回路異常検出処理が実行された後、異常が無ければ、負荷３３に交流電源３１から電流が供給される。
【００４３】
以下の技術的思想（発明）は前記実施形態から把握できる。
（１）請求項２に記載の発明において、前記検出部は、前記漏電検出回路の異常を検出したときは、前記ＤＣ−ＡＣインバータの駆動制御を開始せずに、異常検出報知手段を作動させる。
【図面の簡単な説明】
【００４４】
【図１】一実施形態の構成図。
【図２】漏電検出動作を示すフローチャート。
【図３】作用を示すタイムチャート。
【図４】別の実施形態を示す構成図。
【符号の説明】
【００４５】
１０…インバータ装置、１４…制御部、１５ａ，１５ｂ…供給ラインとしての出力ライン、１８…電源部としてのＤＣ−ＡＣインバータ、２４…零相変流器、２５…漏電検出回路、２６…テストライン、２７…テスト用電源、２８…スイッチング素子、３２ａ，３２ｂ…供給ライン、３３…負荷。
【図１】
2008128837.tif 000003
【図２】
2008128837.tif 000004
【図３】
2008128837.tif 000005
【図４】
2008128837.tif 000006